(57)【要約】      （修正有）【課題】緩衝の打ち叩きを行い、ひいては人体の各部位の経穴（つぼ）・経絡の刺激を達成することにより、筋骨と血液循環の活性化効果を促進する打ち叩き装置を提供する。【解決手段】打ち叩き装置１０は、人体に施行される打ち叩き装置１０であり、多段式の類似ヌンチャクの構造となり、且つ複数の第１の縞状物、一つの接続ユニット１４と複数の第２の縞状物から構成される。第１の縞状物が握り持たれ且つ外力を加えさせた後に、第１の縞状物が、接続ユニット１４を介して外力を第２の縞状物に伝送することにより、第２の縞状物が、一つずつ夫々或る方向に沿って該外力を釈放することにより、人体の打ち叩きの寄与に供する。【選択図】図１
0003227828.tif 000002
【実用新案登録請求の範囲】
【請求項１】
人体に施行される打ち叩き装置であって、該打ち叩き装置が、第1の打ち叩きユニット、接続ユニット、及び第2の打ち叩きユニットを含み、
前記第1の打ち叩きユニットが、複数の第1の縞状物を有し、そんな第1の縞状物がそれぞれ第1の接続端部と第1の開放端部を提供し、前記第1の縞状物の第1の接続端部がそれぞれ結合して第1の結合部となり、
前記接続ユニットが、第1の端部、本体、及び第2の端部を有し、該本体が、それぞれ該第1の端部と該第2の端部とを接続し、該第1の端部が該第1の結合部を接続し、
前記第2の打ち叩きユニットが、複数の第2の縞状物を有し、前記第2の縞状物がそれぞれ第2の接続端部と第2の開放端部を提供し、前記第2の縞状物の第2の接続端部がそれぞれ結合して第2の結合部となり、該第2の結合部が該第2の端部を接続し、その中でも、該第1の打ち叩きユニットが握り持たれ且つ外力を加えさせた後に、該第1の打ち叩きユニットが該接続ユニットを介して該外力を該第2の打ち叩きユニットに伝送することにより、該第2の打ち叩きユニットが或る方向に沿って該外力を釈放することにより、該人体の打ち叩きの寄与に供することを特徴とする、打ち叩き装置。
【請求項２】
前記第1の縞状物が、粘着、係止、又は固縛のいずれかの１以上の方式を介して結合することを特徴とする、請求項1に記載の打ち叩き装置。
【請求項３】
前記第1の縞状物と該第2の縞状物の形状が、円柱状、板状体、又は細長状であることを特徴とする、請求項1に記載の打ち叩き装置。
【請求項４】
前記接続ユニットがチェーン構造で、且つ該第1の端部と該第2の端部の中にある少なくとも一つの端部に、選択的にバックルリングを形成することにより、該第1の打ち叩きユニットと該第2の打ち叩きユニットを結合することを特徴とする、請求項1に記載の打ち叩き装置。
【請求項５】
前記チェーン構造が、複数のループから構成されることを特徴とする、請求項4に記載の打ち叩き装置。
【請求項６】
該第1の接続端部と該第2の接続端部を被覆する被覆部をさらに含むことを特徴とする、請求項1に記載の打ち叩き装置。
【請求項７】
該第1の接続端部と該第2の接続端部の中にある少なくとも一つの接続端部に設置されたセンサー・ユニットを更に含み、
該センサー・ユニットが、該第1の接続端部と該第2の接続端部の中にある少なくとも一つの接続端部の動作を検出し、且つ感知信号を出力することを特徴とする、請求項1に記載の打ち叩き装置。
【請求項８】
該センサー・ユニットに接続される計数モジュールを更に含み、
該計数モジュールが、該感知信号に基づいて漸次増加の計数または漸次減少の計数を行うことにより、計数データを形成することを特徴とする、請求項1に記載の打ち叩き装置。
【請求項９】
該計数モジュールに接続される表示ユニットを更に含み、
該表示ユニットが該計数データを表示することを特徴とする、請求項8に記載の打ち叩き装置。
【請求項１０】
該計数モジュールに接続される制御スイッチを更に含み、
該制御スイッチが、制御信号を該計数モジュールへ選択的に出力することを特徴とする、請求項8に記載の打ち叩き装置。
【請求項１１】
該第1の打ち叩きユニットと該第2の打ち叩きユニットの中にある少なくとも一つの打ち叩きユニットに設置される光源モジュールを更に含み、
該光源モジュールが一つの光線を生成し且つ該打ち叩き装置の外部へ伝送することを特徴とする、請求項1に記載の打ち叩き装置。
【請求項１２】
該第1の打ち叩きユニットと該第2の打ち叩きユニットの中にある少なくとも一つの打ち叩きユニットに設置される振動モジュールを更に含み、
該振動モジュールが、一つの振動を生成することにより、該第1の打ち叩きユニットと該第2の打ち叩きユニットの中にある少なくとも一つの打ち叩きユニットが、或る方向へ向けて繰り返して移動することを特徴とする、請求項1に記載の打ち叩き装置。
【考案の詳細な説明】
【技術分野】
【０００１】
本考案は、打ち叩き装置に関するもので、本考案が健康用品の技術領域に関するもので、特に人体の各部位の筋肉・筋骨及び／又は経穴（つぼ）・経絡を打ち叩くことにより、筋骨の活性化を促進し且つ血気循環を強化する打ち叩き装置を、指す。
【背景技術】
【０００２】
伝統的に民間療法は、こすり，指圧，カッピング，マッサージ，打ち叩きなどの方式を含んでなる。その中でも、打ち叩き方式が、例えばパッティングスティック又はマッサージスティックを介して打ち叩くことにより、人体の各部位の経穴（つぼ）・経絡を刺激することにより、筋骨と血液循環の活性化を促進するためである。
【０００３】
既知のパッティングスティックには、複数の竹製品，金属・鉄鋼製品などのサポート・ストリップが設けられ、サポート・ストリップの底部に、一つのグリップ緊締により人体の掴み持ちに供し、サポート・ストリップにより人体を直接に打ち叩き、サポート・ストリップが人体の上に打ち叩かれる時に、相当な重量があることにより、常に人体に内傷の状況が現れ、甚だしきに至っては、人体の内臓に危害を及ぼす。
【０００４】
これに鑑みて、本考案は、打ち叩き装置を提供することにより、従来の技術の欠点を解決するためである。
【考案の概要】
【考案が解決しようとする課題】
【０００５】
本考案の第1の目的は、打ち叩き装置を提供するもので、該打ち叩き装置が、二段式または多段式の構造を利用し、且つ各段の中に複数本の縞状物を結合することにより、緩衝の打ち叩きを行い、ひいては人体の各部位の経穴（つぼ）・経絡の刺激を達成することにより、筋骨と血液循環の活性化効果を促進するものである。
【０００６】
本考案の第2の目的は、上記の打ち叩き装置に基づき、接続ユニットにて複数の縞状物を接続することにより、二段式または多段式の打ち叩き構造を実現するためである。
【０００７】
本考案の第3の目的は、上記の打ち叩き装置に基づき、そんな縞状物が、被覆部により、粘着，貼着と固縛などの方式にて、結合を行うことにより、しっかりと接続する効果を、達成するものである。
【０００８】
本考案の第4の目的は、上記の打ち叩き装置に基づき、センサー・ユニット，計数モジュール及び／又は表示ユニットを介して計数データを形成することにより、操作者の計数の寄与に供する。
【課題を解決するための手段】
【０００９】
上記の目的または他の目的を達成するために、本考案が打ち叩き装置を提供し、該打ち叩き装置は、人体に施行される装置である。打ち叩き装置が、一つの第1の打ち叩きユニット，一つの接続ユニットと一つの第2の打ち叩きユニットを含んでなる。第1の打ち叩きユニットが、複数の第1の縞状物を含んでなる。そんな第1の縞状物がそれぞれ一つの第1の接続端部と一つの第1の開放端部を提供する。そんな第1の縞状物の第1の接続端部がそれぞれ結合して一つの第1の結合部となる。接続ユニットが、一つの第1の端部，一つの本体と一つの第2の端部を含んでなる。本体が、それぞれ第1の端部と第2の端部とを接続する。第1の端部が第1の結合部を接続する。第2の打ち叩きユニットが、複数の第2の縞状物を含んでなる。そんな第2の縞状物がそれぞれ一つの第2の接続端部と一つの第2の開放端部を提供する。そんな第2の縞状物の第2の接続端部がそれぞれ結合して第2の結合部となる。第2の結合部が第2の端部を接続する。その中でも、第1の打ち叩きユニットが握り持たれ且つ外力を加えさせた後に、第1の打ち叩きユニットが接続ユニットを介して外力を第2の打ち叩きユニットに伝送することにより、第2の打ち叩きユニットが或る方向に沿って外力を釈放することにより、人体の打ち叩きの寄与に供する。
【考案の効果】
【００１０】
本考案の打ち叩き装置は、既知の技術と比較して、該打ち叩き装置が多段式の構造設計を採用し、多段式の構造設計により、操作者が力の強さ及び方向を適当に制御でき、同時に打ち叩きの操作過程の中に、外力が複数の縞状物にて分散されることにより、外力が人体に作用される時に、複数点，複数回，打ち叩き面積の広範さなどの優位を招く。
【図面の簡単な説明】
【００１１】
【図１】本考案の第1実施形態の打ち叩き装置の構造模式図である。
【図２】本考案の図1の第1の縞状物を説明する構造模式図である。
【図３】本考案の図1の接続ユニットを説明する構造模式図である。
【図４】本考案の図1の第2の縞状物を説明する構造模式図である。
【図５】本考案の第2実施形態の打ち叩き装置の構造模式図である。
【考案を実施するための形態】
【００１２】
本考案の目的，特徴および効果を十分に理解するために、下記の具体的な実施例により、更に添付の図面に対応し、本考案を詳しく説明し、その説明が下記の通りである。
【００１３】
本考案の中において、「或る」又は「一つ」を使用することにより、本文に述べたユニット，素子とモジュールを、叙述する。これが、ただ説明の便利さに寄与するためで、且つ本考案の範疇に対して一般な意味を提供する。従ってその他にも他の意味を著しく指さない限り、そうでなければ、このような叙述が、一つ，少なくとも一つ含み且つ単数も同時に複数含むと理解すべきである。
【００１４】
本文の中において、用語の「含む」，「具備する」，「有する」，「含有する」又はその他の如何なる類似の用語の意味が、非独占的含有物を含んでほしいである。例を挙げて言えば、複数の要件を含む一つの素子，構造，製品または装置が、ただ本文に掲示されたこのような要件に限られるだけではなく、そして明確に掲示されず且つ該素子，構造，製品または装置の通常固有の他の要件を、含んでもよい。その他にも、反対の明確な説明がない限り、そうでなければ、用語の「又は」が、広汎性の「又は」を指し、そして排他性の「又は」を指さない。
【００１５】
図1を参照するが、図1が本考案の第1の実施例の打ち叩き装置の構造模式図である。図1の中において、打ち叩き装置10が、人体（未図示）に施行される装置である。ここに、人体が広範に自分または他人を指し、言い換えると、打ち叩き装置が、自分で操作してもよく、或いは他人に対して操作してもよい。更に打ち叩き装置10が、人体の各部位の筋肉・筋骨および経穴（つぼ）・経絡に施行してもよい。
【００１６】
打ち叩き装置10が、一つの第1の打ち叩きユニット12，一つの接続ユニット14と一つの第2の打ち叩きユニット16を含んでなる。
【００１７】
第1の打ち叩きユニット12が複数の第1の縞状物122を含んでなり、併せて図2を参照できるが、図2が本考案の図1の第1の縞状物を説明する構造模式図である。その中でも、第1の縞状物122の形状が、円柱体，板状体，細長状または他の形状体であってもよく、且つ第1の縞状物122の材質が、竹，ゴム，鉄などであってもよい。また、そんな第1の縞状物122が、それぞれ一つの第1の接続端部1222と一つの第1の開放端部1224を提供する。そんな第1の縞状物122の第1の接続端部1222がそれぞれ結合することにより、一つの第1の結合部1226を形成し、例えば結合の方式が、粘着，固縛，係止などの方式であってもよい。或る他の実施例の中において、第1の縞状物122の第1の接続端部1222が、結合の方式に基づき、例えば切削，ドリル（穴あけ）などの構造の調整を行ってもよい。
【００１８】
接続ユニット14が、一つの第1の端部142，一つの本体144と一つの第2の端部146を含んでなる。本体144が、それぞれ第1の端部142と第2の端部146とを接続する。ここに、チェーン構造を例として挙げて本体144を説明し、チェーン構造が複数のループ1442を含んで構成でき、併せて図3を参照できるが、図3が本考案の図1の接続ユニットを説明する構造模式図である。更に或る他の実施例の中において、接続ユニット14が、第1の端部142及び／又は第2の端部146に、選択的にバックルリング（未図示）を形成することにより、第1の打ち叩きユニットと該第2の打ち叩きユニット16を結合するために供する。
【００１９】
第1の端部142が第1の結合部1226を接続し、接続の方式が、如何なる方式に限定できず、例えば粘着，固縛，係止などの方式であってもよい。
【００２０】
第2の打ち叩きユニット16が複数の第2の縞状物162を含んでなり、併せて図4を参照できる。その中でも、第2の縞状物162の形状が、円柱体，板状体または他の形状体であってもよく、且つ第2の縞状物162の材質が、竹，ゴム，鉄などであってもよい。また、そんな第2の縞状物162が、それぞれ一つの第2の接続端部1622と一つの第2の開放端部1624を提供する。そんな第2の縞状物162の第2の接続端部1622がそれぞれ結合することにより、一つの第2の結合部1626を形成し、その結合の方式が、例えば第1の端部142が第1の結合部1226を接続する通りであってもよい。或る他の実施例の中において、第2の縞状物162の第2の接続端部1622が、結合の方式に基づき、例えば切削，ドリル（穴あけ）などの構造の調整を行ってもよい。
【００２１】
図1に戻り、第1の打ち叩きユニット12が握り持たれ且つ外力Fを加えさせた後に、第1の打ち叩きユニット12が接続ユニット14を介して外力Fを第2の打ち叩きユニット16に伝送することにより、第2の打ち叩きユニット16が或る方向に沿って外力Fを釈放することにより、人体の打ち叩きの寄与に供する。
【００２２】
或る他の実施例の中において、打ち叩き装置10が、一つの被覆部18を更に含んでなり、該被覆部18が、それぞれ該第1の接続端部12と該第2の接続端部16をクラッドし、例えば被覆部18が、セロテープ，荷締めベルト，縛り紐などであってもよい。
【００２３】
図5を参照するが、図5が本考案の第2の実施例の打ち叩き装置の構造模式図である。図5の中において、打ち叩き装置10’が、第1の実施例の第1の打ち叩きユニット12，接続ユニット14と第2の打ち叩きユニット16を含む以外に、一つのセンサー・ユニット20，一つの計数モジュール22，一つの表示ユニット24と一つの制御スイッチ26を更に含んでなる。
【００２４】
第1の打ち叩きユニット12，接続ユニット14と第2の打ち叩きユニット16の叙述が、例えば第1の実施例に述べた通りで、ここに、余計に説明しない。
【００２５】
センサー・ユニット20，計数モジュール22，表示ユニット24と制御スイッチ26の配置の理解に寄与するために、併せて図5に拡大模式図を提供する。
【００２６】
センサー・ユニット20が、第1の接続端部1222及び／又は第2の接続端部1622に設置され、センサー・ユニット20が、例えばジャイロスコープ，重量センサー，方向センサーなどであってもよい。ここに、第2の接続端部1622を例として挙げて説明する。センサー・ユニット20が、例えば第2の接続端部1622の動作を検出することにより、更に感知信号DSを出力できる。注意すべきのは、センサー・ユニット20が、第1の接続端部1222の動作を検出することにより、一つの感知信号DSを出力できるものである。
【００２７】
計数モジュール22がセンサー・ユニット20を接続し、計数モジュール22が、例えば基本論理回路，シングルチップ，プロセッサーなどであってもよい。計数モジュール22が、感知信号DSに基づいて漸次増加の計数または漸次減少の計数を行うことにより、一つの計数データCDを形成する。従って計数データCDにより、第1の接続端部1222及び／又は第2の接続端部1622の動作回数，姿勢の正しさ及びその他を分析・理解するために用いられてもよい。或る他の実施例の中において、計数モジュール22が、プロセッサー，メモリー，入出力インターフェースなどのよく見える一般な素子を含んでもよい。
【００２８】
表示ユニット24が、計数モジュール22を接続することにより、計数データCDを表示し、例えば7段式ディスプレー，液晶ディスプレー，機械式ストップウォッチなどである。
【００２９】
制御スイッチ26が計数モジュール22を接続することにより、一つの制御信号CSを計数モジュール22へ選択的に出力することにより、計数データCDをリセットし、例えば制御スイッチ26が、マイクロスイッチ，押しボタン・スイッチ，ディップスイッチなどである。
【００３０】
注意すべきは、その他の実施例の中に、打ち叩き装置10、10’が光源モジュール（未図示）を更に含むことにより、一つの光線を生成し、例えば光源モジュールが、発光源（例えば単色または多色の発光ダイオード），駆動チップ，制御チップと電源などを含んでもよい。光源モジュールが、第1の打ち叩きユニット12及び／又は第2の打ち叩きユニット16に設置され、例えば第1の打ち叩きユニット12と第2の打ち叩きユニット16の内部または外部に設置できる。光源モジュールが第1の打ち叩きユニット12と第2の打ち叩きユニット16との内部に設置された時に、光線が、透過光の第1の縞状物122又は第2の縞状物162を介して打ち叩き装置の外部へ伝送でき、或いは光源モジュールが第1の打ち叩きユニットと第2の打ち叩きユニットとの外部に設置された時に、光線が、直接に打ち叩き装置から発射できる。
【００３１】
また、或る他の実施例の中において、打ち叩き装置10、10’が振動モジュール（未図示）を更に含むことにより、一つの振動を生成し、例えば振動モジュールが、第1の打ち叩きユニット12及び／又は第2の打ち叩きユニット16に設置される。振動モジュールにて生成された振動により、第1の打ち叩きユニット12と第2の打ち叩きユニット16が、或る方向へ向けて繰り返して移動する。
【００３２】
上記の叙述の中には、既により好ましい実施例により本考案を掲示したが、然しながら、本項目の技術を習熟する者が理解すべきのは、ただ該実施例が本考案を述べるために用いられるだけで、そして本考案の範囲を制限するために用いられるものではないと理解してほしい。注意すべきのは、該実施例に基づいてなる等価な変更と置換が、何れも本考案の実用新案登録請求の範囲内に含まれるべきである。従って、本考案の保護権利範囲が、実用新案登録請求の範囲に基づいて限定すべきである。
【符号の説明】
【００３３】
ＣＤ  計数データ
ＣＳ  制御信号
ＤＳ  感知信号
Ｆ  外力
10    打ち叩き装置
10’  打ち叩き装置
12  第1の打ち叩きユニット
14  接続ユニット
16  第2の打ち叩きユニット
18  被覆部
20  センサー・ユニット
22  計数モジュール
24  表示ユニット
26  制御スイッチ
122  第1の縞状物
142  第1の端部
144  本体
146  第2の端部
162  第2の縞状物
1222  第1の接続端部
1224  第1の開放端部
1226  第1の結合部
1442  ループ
1622  第2の接続端部
1624  第2の開放端部
1626  第2の結合部
【図１】
0003227828.tif 000003
【図２】
0003227828.tif 000004
【図３】
0003227828.tif 000005
【図４】
0003227828.tif 000006
【図５】
0003227828.tif 000007
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
人体に施行される打ち叩き装置であって、該打ち叩き装置が、第1の打ち叩きユニット、接続ユニット、及び第2の打ち叩きユニットを含み、
前記第1の打ち叩きユニットが、複数の第1の縞状物を有し、そんな第1の縞状物がそれぞれ第1の接続端部と第1の開放端部を提供し、前記第1の縞状物の第1の接続端部がそれぞれ結合して第1の結合部となり、
前記接続ユニットが、第1の端部、本体、及び第2の端部を有し、該本体が、それぞれ該第1の端部と該第2の端部とを接続し、該第1の端部が該第1の結合部を接続し、
前記第2の打ち叩きユニットが、複数の第2の縞状物を有し、前記第2の縞状物がそれぞれ第2の接続端部と第2の開放端部を提供し、前記第2の縞状物の第2の接続端部がそれぞれ結合して第2の結合部となり、該第2の結合部が該第2の端部を接続し、その中でも、該第1の打ち叩きユニットが握り持たれ且つ外力を加えさせた後に、該第1の打ち叩きユニットが該接続ユニットを介して該外力を該第2の打ち叩きユニットに伝送することにより、該第2の打ち叩きユニットが或る方向に沿って該外力を釈放することにより、該人体の打ち叩きの寄与に供することを特徴とする、打ち叩き装置。
【請求項２】
前記第1の縞状物が、粘着、係止、又は固縛のいずれかの１以上の方式を介して結合することを特徴とする、請求項1に記載の打ち叩き装置。
【請求項３】
前記第1の縞状物と該第2の縞状物の形状が、円柱状、板状体、又は細長状であることを特徴とする、請求項1に記載の打ち叩き装置。
【請求項４】
前記接続ユニットがチェーン構造で、且つ該第1の端部と該第2の端部の中にある少なくとも一つの端部に、選択的にバックルリングを形成することにより、該第1の打ち叩きユニットと該第2の打ち叩きユニットを結合することを特徴とする、請求項1に記載の打ち叩き装置。
【請求項５】
前記チェーン構造が、複数のループから構成されることを特徴とする、請求項4に記載の打ち叩き装置。
【請求項６】
該第1の接続端部と該第2の接続端部を被覆する被覆部をさらに含むことを特徴とする、請求項1に記載の打ち叩き装置。
【請求項７】
該第1の接続端部と該第2の接続端部の中にある少なくとも一つの接続端部に設置されたセンサー・ユニットを更に含み、
該センサー・ユニットが、該第1の接続端部と該第2の接続端部の中にある少なくとも一つの接続端部の動作を検出し、且つ感知信号を出力することを特徴とする、請求項1に記載の打ち叩き装置。
【請求項８】
該センサー・ユニットに接続される計数モジュールを更に含み、
該計数モジュールが、該感知信号に基づいて漸次増加の計数または漸次減少の計数を行うことにより、計数データを形成することを特徴とする、請求項7に記載の打ち叩き装置。
【請求項９】
該計数モジュールに接続される表示ユニットを更に含み、
該表示ユニットが該計数データを表示することを特徴とする、請求項8に記載の打ち叩き装置。
【請求項１０】
該計数モジュールに接続される制御スイッチを更に含み、
該制御スイッチが、制御信号を該計数モジュールへ選択的に出力することを特徴とする、請求項8に記載の打ち叩き装置。
【請求項１１】
該第1の打ち叩きユニットと該第2の打ち叩きユニットの中にある少なくとも一つの打ち叩きユニットに設置される光源モジュールを更に含み、
該光源モジュールが一つの光線を生成し且つ該打ち叩き装置の外部へ伝送することを特徴とする、請求項1に記載の打ち叩き装置。
【請求項１２】
該第1の打ち叩きユニットと該第2の打ち叩きユニットの中にある少なくとも一つの打ち叩きユニットに設置される振動モジュールを更に含み、
該振動モジュールが、一つの振動を生成することにより、該第1の打ち叩きユニットと該第2の打ち叩きユニットの中にある少なくとも一つの打ち叩きユニットが、或る方向へ向けて繰り返して移動することを特徴とする、請求項1に記載の打ち叩き装置。